(57)【要約】【課題】  不特定多数の入室者を媒介とした院内感染を防止することのできる院内感染防止装置、院内感染防止方法及び院内感染防止プログラムを得る。【解決手段】  システム管理サーバ２０は、医療施設の病室への入室予定者及び入室予定時刻を示す入室予定情報を内蔵されているハードディスクによって予め記憶しておくと共に、前記病室への入室者を特定するためのＩＤカードに記憶された関係者識別コードをＩＤカードリーダ６２にて取得可能としておき、関係者識別コードを取得した際に、当該関係者識別コードにより特定された入室者が前記入室予定情報により示される入室予定者と合致し、かつこの時点の時刻と前記入室予定情報により示される入室予定時刻との差が所定時間以内であった場合のみに当該入室者の病室への入室を許可するものと判定し、入室を許可するものと判定した場合のみに前記入室者の前記病室への入室を電子錠４２による施錠を解錠することにより可能とする。【選択図】        図１
2006053675.tif 000002
【特許請求の範囲】
【請求項１】
医療施設の病室への入室予定者及び入室予定時刻を示す入室予定情報を入力する入室予定入力手段と、
前記入室予定情報を記憶手段に記憶する入室予定記憶手段と、
前記病室への入室者を特定するための入室者特定情報を取得する入室者特定情報取得手段と、
前記入室者特定情報取得手段によって前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定する入室可否判定手段と、
前記入室可否判定手段によって入室を許可するものと判定された場合のみに前記入室者の前記病室への入室を可能とする入室認可手段と、
を備えた院内感染防止装置。
【請求項２】
前記入室認可手段は、前記病室の入口に設けられた戸の施錠を解錠することにより前記病室への入室を可能とする
請求項１記載の院内感染防止装置。
【請求項３】
前記入室者が前記病室に入室する際に当該入室者の所有物から院内感染を防止するために必要とされる用具を特定するための用具特定情報を取得する用具特定情報取得手段を更に備え、
前記入室可否判定手段は、前記入室者特定情報取得手段によって前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であると共に、前記用具特定情報取得手段によって取得された前記用具特定情報により示される用具が前記病室に入室する際に当該病室内の患者からの感染を防止するために必要とされる全ての用具を含む場合のみに当該入室者の前記病室への入室を許可するものと判定する
請求項１又は請求項２記載の院内感染防止装置。
【請求項４】
前記病室への入室者の入室時刻及び当該入室者を示す入室履歴情報を前記記憶手段に記憶する入室履歴記憶手段
を更に備えた請求項１乃至請求項３の何れか１項記載の院内感染防止装置。
【請求項５】
前記病室が設けられている病棟への入棟者を特定するための入棟者特定情報を取得する入棟者特定情報取得手段と、
前記入棟者特定情報取得手段によって前記入棟者特定情報が取得された際に、当該入棟者特定情報により特定された入棟者が前記入室予定情報により示される入室予定者と合致し、かつこの時点の時刻と前記入室予定情報により示される入室予定時刻との差が第２の所定時間以内であった場合のみに当該入棟者の前記病棟への入棟を許可するものと判定する入棟可否判定手段と、
前記入棟可否判定手段によって入棟を許可するものと判定された場合のみに前記入棟者の前記病棟への入棟を可能とする入棟認可手段と、
を更に備えた請求項１乃至請求項４の何れか１項記載の院内感染防止装置。
【請求項６】
前記病室への入室者の当該病室からの退室予定時刻を示す退室予定時刻情報を入力する退室予定入力手段と、
前記退室予定時刻情報を対応する前記入室予定情報に関連付けて前記記憶手段に記憶する退室予定記憶手段と、
前記病室からの退室者を特定するための退室者特定情報を取得する退室者特定情報取得手段と、
前記退室者特定情報取得手段によって前記退室者特定情報が取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であった場合のみに前記退室者の前記病室からの退室を許可するものと判定する退室可否判定手段と、
前記退室可否判定手段によって退室を許可するものと判定された場合のみに前記退室者の前記病室からの退室を可能とする退室認可手段と、
を更に備えた請求項１乃至請求項５の何れか１項記載の院内感染防止装置。
【請求項７】
前記退室認可手段は、前記病室の出口に設けられた戸の施錠を解錠することにより前記病室からの退室を可能とする
請求項６記載の院内感染防止装置。
【請求項８】
前記退室者が前記病室から退室する際に当該退室者の所有物から院内感染を防止するために必要とされる用具を特定するための用具特定情報を取得する退室時用具特定情報取得手段を更に備え、
前記退室可否判定手段は、前記退室者特定情報取得手段によって前記退室者特定情報が取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であると共に、前記退室時用具特定情報取得手段によって取得された前記用具特定情報により示される用具に前記病室に入室する際に当該病室内の患者からの感染を防止するために必要とされる用具が含まれない場合のみに前記退室者の前記病室からの退室を許可するものと判定する
請求項６又は請求項７記載の院内感染防止装置。
【請求項９】
前記病室からの退室者の退室時刻及び当該退室者を示す退室履歴情報を前記記憶手段に記憶する退室履歴記憶手段
を更に備えた請求項６乃至請求項８の何れか１項記載の院内感染防止装置。
【請求項１０】
前記病室が設けられている病棟からの退棟者を特定するための退棟者特定情報を取得する退棟者特定情報取得手段と、
前記退棟者特定情報取得手段によって前記退棟者特定情報が取得された際に、当該退棟者特定情報により特定された退棟者が前記入室予定情報により示される入室予定者と合致し、かつこの時点の時刻と当該入室予定情報に関連付けられて記憶された前記退室予定時刻情報により示される退室予定時刻との差が第４の所定時間以内であった場合のみに当該退棟者の前記病棟からの退棟を許可するものと判定する退棟可否判定手段と、
前記退棟可否判定手段によって退棟を許可するものと判定された場合のみに前記退棟者の前記病棟からの退棟を可能とする退棟認可手段と、
を更に備えた請求項６乃至請求項９の何れか１項記載の院内感染防止装置。
【請求項１１】
医療施設の病室への入室予定者及び入室予定時刻を示す入室予定情報を記憶手段によって予め記憶しておくと共に、前記病室への入室者を特定するための入室者特定情報を取得可能としておき、
前記入室者特定情報を取得した際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定し、
入室を許可するものと判定した場合のみに前記入室者の前記病室への入室を可能とする
院内感染防止方法。
【請求項１２】
前記入室者が前記病室に入室する際に当該入室者の所有物から院内感染を防止するために必要とされる用具を特定するための用具特定情報を更に取得可能としておき、
前記入室者特定情報を取得した際に、当該入室者特定情報により特定された入室者が前記入室予定情報により示される入室予定者と合致し、かつこの時点の時刻と前記入室予定情報により示される入室予定時刻との差が所定時間以内であると共に、このとき取得した前記用具特定情報により示される用具が前記病室に入室する際に当該病室内の患者からの感染を防止するために必要とされる全ての用具を含む場合のみに当該入室者の前記病室への入室を許可するものと判定する
請求項１１記載の院内感染防止方法。
【請求項１３】
前記病室への入室者の当該病室からの退室予定時刻を示す退室予定時刻情報を対応する前記入室予定情報に関連付けて前記記憶手段に更に記憶しておくと共に、前記病室からの退室者を特定するための退室者特定情報を更に取得可能としておき、
前記退室者特定情報を取得した際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であった場合のみに前記退室者の前記病室からの退室を許可するものと判定し、
退室を許可するものと判定した場合のみに前記退室者の前記病室からの退室を可能とする
請求項１１又は請求項１２記載の院内感染防止方法。
【請求項１４】
前記退室者が前記病室から退室する際に当該退室者の所有物から院内感染を防止するために必要とされる用具を特定するための用具特定情報を更に取得可能としておき、
前記退室者特定情報を取得した際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であると共に、このとき取得した前記用具特定情報により示される用具に前記病室に入室する際に当該病室内の患者からの感染を防止するために必要とされる用具が含まれない場合のみに前記退室者の前記病室からの退室を許可するものと判定する
請求項１３記載の院内感染防止方法。
【請求項１５】
医療施設の病室への入室予定者及び入室予定時刻を示す入室予定情報を入力する入室予定入力ステップと、
前記入室予定情報を記憶手段に記憶する入室予定記憶ステップと、
前記病室への入室者を特定するための入室者特定情報を取得する入室者特定情報取得ステップと、
前記入室者特定情報取得ステップによって前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定する入室可否判定ステップと、
前記入室可否判定ステップによって入室を許可するものと判定された場合のみに前記入室者の前記病室への入室を可能とする入室認可ステップと、
をコンピュータに実行させる院内感染防止プログラム。
【請求項１６】
前記入室者が前記病室に入室する際に当該入室者の所有物から院内感染を防止するために必要とされる用具を特定するための用具特定情報を取得する用具特定情報取得ステップを更に備え、
前記入室可否判定ステップは、前記入室者特定情報取得ステップによって前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であると共に、前記用具特定情報取得ステップによって取得された前記用具特定情報により示される用具が前記病室に入室する際に当該病室内の患者からの感染を防止するために必要とされる全ての用具を含む場合のみに当該入室者の前記病室への入室を許可するものと判定する
請求項１５記載の院内感染防止プログラム。
【請求項１７】
前記病室への入室者の当該病室からの退室予定時刻を示す退室予定時刻情報を入力する退室予定入力ステップと、
前記退室予定時刻情報を対応する前記入室予定情報に関連付けて前記記憶手段に記憶する退室予定記憶ステップと、
前記病室からの退室者を特定するための退室者特定情報を取得する退室者特定情報取得ステップと、
前記退室者特定情報取得ステップによって前記退室者特定情報が取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であった場合のみに前記退室者の前記病室からの退室を許可するものと判定する退室可否判定ステップと、
前記退室可否判定ステップによって退室を許可するものと判定された場合のみに前記退室者の前記病室からの退室を可能とする退室認可ステップと、
を更に備えた請求項１５又は請求項１６記載の院内感染防止プログラム。
【請求項１８】
前記退室者が前記病室から退室する際に当該退室者の所有物から院内感染を防止するために必要とされる用具を特定するための用具特定情報を取得する退室時用具特定情報取得ステップを更に備え、
前記退室可否判定ステップは、前記退室者特定情報取得ステップによって前記退室者特定情報が取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であると共に、前記退室時用具特定情報取得ステップによって取得された前記用具特定情報により示される用具に前記病室に入室する際に当該病室内の患者からの感染を防止するために必要とされる用具が含まれない場合のみに前記退室者の前記病室からの退室を許可するものと判定する
請求項１７記載の院内感染防止プログラム。
【発明の詳細な説明】
【技術分野】
【０００１】
本発明は、院内感染防止装置、院内感染防止方法及び院内感染防止プログラムに係り、より詳しくは、医療施設における医療スタッフ、院内作業従事者、外部訪問者、医療器具等を媒介とする院内感染を防止する院内感染防止装置、院内感染防止方法及び院内感染防止プログラムに関する。
【背景技術】
【０００２】
従来、医療施設における医療スタッフ、院内作業従事者、外部訪問者、医療器具等を媒介とする院内感染を防止するために、所謂ガウンテクニック、すなわち、各病室の前で当該病室専用の防御用ガウンを身につけて病室に入室し、退出時に当該ガウンを戻す、という方法が採られていた。
【０００３】
しかしながら、この方法では、病室への入室者個人の意志に任されているので、必ずしも院内感染を効果的に防止することができるとは言えなかった。
【０００４】
この問題を解決するために適用できる技術として、従来、医療施設への入館者の個人情報を管理し、医療施設を複数のバリアゾーンに分け、当該バリアゾーン毎に入室条件を設定し、前記個人情報と前記入室条件とに基づいて前記入館者の前記バリアゾーンへの入室を制限する技術があった（例えば、特許文献１参照。）。
【特許文献１】特開２００３−６３４２公報
【発明の開示】
【発明が解決しようとする課題】
【０００５】
しかしながら、上記従来の技術では、上記入室条件として、風邪等の軽度の感染症の人は新生児室及びＩＣＵには入室することができない、といった条件や、結核等の重度の感染症の人は院内レストラン、売店、理容室、新生児室等の全てのバリアゾーンへ入室できない、といった条件等の、入室者の感染症に応じて入室可能なバリアゾーンが定められているものであり、感染症が判明している入室者のバリアゾーンへの入室は防止することができるものの、感染症が判明していない不特定多数の入室者を媒介とした院内感染を防止することはできない、という問題点があった。
【０００６】
本発明は上記問題点を解決するためになされたものであり、不特定多数の入室者を媒介とした院内感染を防止することのできる院内感染防止装置、院内感染防止方法及び院内感染防止プログラムを提供することを目的とする。
【課題を解決するための手段】
【０００７】
上記目的を達成するために、請求項１記載の院内感染防止装置は、医療施設の病室への入室予定者及び入室予定時刻を示す入室予定情報を入力する入室予定入力手段と、前記入室予定情報を記憶手段に記憶する入室予定記憶手段と、前記病室への入室者を特定するための入室者特定情報を取得する入室者特定情報取得手段と、前記入室者特定情報取得手段によって前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定する入室可否判定手段と、前記入室可否判定手段によって入室を許可するものと判定された場合のみに前記入室者の前記病室への入室を可能とする入室認可手段と、を備えている。
【０００８】
請求項１記載の院内感染防止装置は、医療施設の病室への入室予定者及び入室予定時刻を示す入室予定情報が入室予定入力手段によって入力され、当該入室予定情報が記憶手段に入室予定記憶手段によって記憶されると共に、前記病室への入室者を特定するための入室者特定情報が入室者特定情報取得手段によって取得されるものとして構成されている。なお、上記入室予定入力手段による入室予定情報の入力には、キーボード、ポインティング・デバイス等の入力装置を介した入力の他、ローカル・エリア・ネットワーク、インターネット、イントラネット等の通信回線を介した外部装置からの入力が含まれる。また、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia(登録商標)）、ｘＤピクチャーカード（xD-Picture Card）、コンパクト・フラッシュ（CompactFlash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク等の可搬記録媒体やハードディスク等の固定記録媒体、或いはネットワークに接続されたサーバ・コンピュータ等に設けられた外部記憶装置が含まれる。更に、上記入室者特定情報取得手段による入室者特定情報の取得には、キーボード、ポインティング・デバイス等の入力装置を介した取得の他、ローカル・エリア・ネットワーク、インターネット、イントラネット等の通信回線を介した外部装置からの取得が含まれる。
【０００９】
ここで、本発明では、入室可否判定手段により、前記入室者特定情報取得手段によって前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定され、入室認可手段により、前記入室可否判定手段によって入室を許可するものと判定された場合のみに前記入室者の前記病室への入室が可能とされる。
【００１０】
このように、請求項１記載の院内感染防止装置によれば、医療施設の病室への入室予定者及び入室予定時刻を示す入室予定情報を記憶手段によって予め記憶しておくと共に、前記病室への入室者を特定するための入室者特定情報を取得可能としておき、前記入室者特定情報を取得した際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定し、入室を許可するものと判定した場合のみに前記入室者の前記病室への入室を可能としているので、不特定多数の入室者を媒介とした院内感染を防止することができる。
【００１１】
なお、本発明に係る前記入室認可手段は、請求項２に記載の発明のように、前記病室の入口に設けられた戸の施錠を解錠することにより前記病室への入室を可能とすることができる。
【００１２】
また、本発明は、請求項３に記載の発明のように、前記入室者が前記病室に入室する際に当該入室者の所有物から院内感染を防止するために必要とされる用具を特定するための用具特定情報を取得する用具特定情報取得手段を更に備え、前記入室可否判定手段は、前記入室者特定情報取得手段によって前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であると共に、前記用具特定情報取得手段によって取得された前記用具特定情報により示される用具が前記病室に入室する際に当該病室内の患者からの感染を防止するために必要とされる全ての用具を含む場合のみに当該入室者の前記病室への入室を許可するものと判定することが好ましい。これにより、入室者への病室内の患者からの感染を防止することができる。なお、上記用具特定情報取得手段による用具特定情報の取得には、キーボード、ポインティング・デバイス等の入力装置を介した取得の他、ローカル・エリア・ネットワーク、インターネット、イントラネット等の通信回線を介した外部装置からの取得が含まれる。
【００１３】
また、本発明は、請求項４に記載の発明のように、前記病室への入室者の入室時刻及び当該入室者を示す入室履歴情報を前記記憶手段に記憶する入室履歴記憶手段を更に備えることが好ましい。これにより、院内感染が発生した場合の感染経路を把握しやすくすることができる。
【００１４】
また、本発明は、請求項５に記載の発明のように、前記病室が設けられている病棟への入棟者を特定するための入棟者特定情報を取得する入棟者特定情報取得手段と、前記入棟者特定情報取得手段によって前記入棟者特定情報が取得された際に、当該入棟者特定情報により特定された入棟者が前記入室予定情報により示される入室予定者と合致し、かつこの時点の時刻と前記入室予定情報により示される入室予定時刻との差が第２の所定時間以内であった場合のみに当該入棟者の前記病棟への入棟を許可するものと判定する入棟可否判定手段と、前記入棟可否判定手段によって入棟を許可するものと判定された場合のみに前記入棟者の前記病棟への入棟を可能とする入棟認可手段と、を更に備えることが好ましい。これにより、病棟への入棟者も病室に入室することが予め設定されている入室者のみに制限することができ、不特定多数の入室者を媒介とした院内感染を更に効果的に防止することができる。なお、上記入棟者特定情報取得手段による入棟者特定情報の取得には、キーボード、ポインティング・デバイス等の入力装置を介した取得の他、ローカル・エリア・ネットワーク、インターネット、イントラネット等の通信回線を介した外部装置からの取得が含まれる。
【００１５】
また、本発明は、請求項６に記載の発明のように、前記病室への入室者の当該病室からの退室予定時刻を示す退室予定時刻情報を入力する退室予定入力手段と、前記退室予定時刻情報を対応する前記入室予定情報に関連付けて前記記憶手段に記憶する退室予定記憶手段と、前記病室からの退室者を特定するための退室者特定情報を取得する退室者特定情報取得手段と、前記退室者特定情報取得手段によって前記退室者特定情報が取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であった場合のみに前記退室者の前記病室からの退室を許可するものと判定する退室可否判定手段と、前記退室可否判定手段によって退室を許可するものと判定された場合のみに前記退室者の前記病室からの退室を可能とする退室認可手段と、を更に備えることが好ましい。これにより、病室からの退室者についても病室に入室することが予め設定されている入室者のみに制限することができ、不特定多数の入室者を媒介とした院内感染を更に効果的に防止することができる。なお、上記退室予定入力手段による退室予定時刻情報の入力には、キーボード、ポインティング・デバイス等の入力装置を介した入力の他、ローカル・エリア・ネットワーク、インターネット、イントラネット等の通信回線を介した外部装置からの入力が含まれる。また、上記退室者特定情報取得手段による退室者特定情報の取得には、キーボード、ポインティング・デバイス等の入力装置を介した取得の他、ローカル・エリア・ネットワーク、インターネット、イントラネット等の通信回線を介した外部装置からの取得が含まれる。
【００１６】
なお、請求項６記載の発明の前記退室認可手段もまた、請求項７に記載の発明のように、前記病室の出口に設けられた戸の施錠を解錠することにより前記病室からの退室を可能とすることができる。
【００１７】
また、請求項６又は請求項７記載の発明は、請求項８に記載の発明のように、前記退室者が前記病室から退室する際に当該退室者の所有物から院内感染を防止するために必要とされる用具を特定するための用具特定情報を取得する退室時用具特定情報取得手段を更に備え、前記退室可否判定手段は、前記退室者特定情報取得手段によって前記退室者特定情報が取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であると共に、前記退室時用具特定情報取得手段によって取得された前記用具特定情報により示される用具に前記病室に入室する際に当該病室内の患者からの感染を防止するために必要とされる用具が含まれない場合のみに前記退室者の前記病室からの退室を許可するものと判定することが好ましい。これにより、病室からの退室者が所有していた当該病室内の患者からの感染を防止するために必要とされる用具を媒介とした院内感染も防止することができる。なお、上記退室時用具特定情報取得手段による用具特定情報の取得には、キーボード、ポインティング・デバイス等の入力装置を介した取得の他、ローカル・エリア・ネットワーク、インターネット、イントラネット等の通信回線を介した外部装置からの取得が含まれる。
【００１８】
また、請求項６乃至請求項８の何れか１項記載の発明は、請求項９に記載の発明のように、前記病室からの退室者の退室時刻及び当該退室者を示す退室履歴情報を前記記憶手段に記憶する退室履歴記憶手段を更に備えることが好ましい。これにより、院内感染が発生した場合の感染経路を把握しやすくすることができる。
【００１９】
更に、請求項６乃至請求項９の何れか１項記載の発明は、請求項１０に記載の発明のように、前記病室が設けられている病棟からの退棟者を特定するための退棟者特定情報を取得する退棟者特定情報取得手段と、前記退棟者特定情報取得手段によって前記退棟者特定情報が取得された際に、当該退棟者特定情報により特定された退棟者が前記入室予定情報により示される入室予定者と合致し、かつこの時点の時刻と当該入室予定情報に関連付けられて記憶された前記退室予定時刻情報により示される退室予定時刻との差が第４の所定時間以内であった場合のみに当該退棟者の前記病棟からの退棟を許可するものと判定する退棟可否判定手段と、前記退棟可否判定手段によって退棟を許可するものと判定された場合のみに前記退棟者の前記病棟からの退棟を可能とする退棟認可手段と、を更に備えることが好ましい。これにより、病棟からの退棟者も病室に入室することが予め設定されている入室者のみに制限することができ、不特定多数の入室者を媒介とした院内感染を更に効果的に防止することができる。なお、上記退棟者特定情報取得手段による退棟者特定情報の取得には、キーボード、ポインティング・デバイス等の入力装置を介した取得の他、ローカル・エリア・ネットワーク、インターネット、イントラネット等の通信回線を介した外部装置からの取得が含まれる。
【００２０】
一方、上記目的を達成するために、請求項１１記載の院内感染防止方法は、医療施設の病室への入室予定者及び入室予定時刻を示す入室予定情報を記憶手段によって予め記憶しておくと共に、前記病室への入室者を特定するための入室者特定情報を取得可能としておき、前記入室者特定情報を取得した際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定し、入室を許可するものと判定した場合のみに前記入室者の前記病室への入室を可能とするものである。
【００２１】
従って、請求項１１記載の院内感染防止方法によれば、請求項１記載の発明と同様に作用するので、請求項１記載の発明と同様に、不特定多数の入室者を媒介とした院内感染を防止することができる。
【００２２】
なお、請求項１１記載の発明は、請求項１２に記載の発明のように、前記入室者が前記病室に入室する際に当該入室者の所有物から院内感染を防止するために必要とされる用具を特定するための用具特定情報を更に取得可能としておき、前記入室者特定情報を取得した際に、当該入室者特定情報により特定された入室者が前記入室予定情報により示される入室予定者と合致し、かつこの時点の時刻と前記入室予定情報により示される入室予定時刻との差が所定時間以内であると共に、このとき取得した前記用具特定情報により示される用具が前記病室に入室する際に当該病室内の患者からの感染を防止するために必要とされる全ての用具を含む場合のみに当該入室者の前記病室への入室を許可するものと判定することが好ましい。これにより、入室者への病室内の患者からの感染を防止することができる。
【００２３】
また、請求項１１又は請求項１２に記載の発明は、請求項１３に記載の発明のように、前記病室への入室者の当該病室からの退室予定時刻を示す退室予定時刻情報を対応する前記入室予定情報に関連付けて前記記憶手段に更に記憶しておくと共に、前記病室からの退室者を特定するための退室者特定情報を更に取得可能としておき、前記退室者特定情報を取得した際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であった場合のみに前記退室者の前記病室からの退室を許可するものと判定し、退室を許可するものと判定した場合のみに前記退室者の前記病室からの退室を可能とすることが好ましい。これにより、病室からの退室者についても病室に入室することが予め設定されている入室者のみに制限することができ、不特定多数の入室者を媒介とした院内感染を更に効果的に防止することができる。
【００２４】
特に、請求項１３記載の発明は、請求項１４に記載の発明のように、前記退室者が前記病室から退室する際に当該退室者の所有物から院内感染を防止するために必要とされる用具を特定するための用具特定情報を更に取得可能としておき、前記退室者特定情報を取得した際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であると共に、このとき取得した前記用具特定情報により示される用具に前記病室に入室する際に当該病室内の患者からの感染を防止するために必要とされる用具が含まれない場合のみに前記退室者の前記病室からの退室を許可するものと判定することが好ましい。これにより、病室からの退室者が所有していた当該病室内の患者からの感染を防止するために必要とされる用具を媒介とした院内感染も防止することができる。
【００２５】
一方、上記目的を達成するために、請求項１５記載の院内感染防止プログラムは、医療施設の病室への入室予定者及び入室予定時刻を示す入室予定情報を入力する入室予定入力ステップと、前記入室予定情報を記憶手段に記憶する入室予定記憶ステップと、前記病室への入室者を特定するための入室者特定情報を取得する入室者特定情報取得ステップと、前記入室者特定情報取得ステップによって前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定する入室可否判定ステップと、前記入室可否判定ステップによって入室を許可するものと判定された場合のみに前記入室者の前記病室への入室を可能とする入室認可ステップと、をコンピュータに実行させるものである。
【００２６】
従って、請求項１５記載の院内感染防止プログラムによれば、コンピュータに対して請求項１記載の発明と同様に作用させることができるので、請求項１記載の発明と同様に、不特定多数の入室者を媒介とした院内感染を防止することができる。
【００２７】
なお、請求項１５記載の発明は、請求項１６に記載の発明のように、前記入室者が前記病室に入室する際に当該入室者の所有物から院内感染を防止するために必要とされる用具を特定するための用具特定情報を取得する用具特定情報取得ステップを更に備え、前記入室可否判定ステップは、前記入室者特定情報取得ステップによって前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であると共に、前記用具特定情報取得ステップによって取得された前記用具特定情報により示される用具が前記病室に入室する際に当該病室内の患者からの感染を防止するために必要とされる全ての用具を含む場合のみに当該入室者の前記病室への入室を許可するものと判定することが好ましい。これにより、入室者への病室内の患者からの感染を防止することができる。
【００２８】
また、請求項１５又は請求項１６に記載の発明は、請求項１７に記載の発明のように、前記病室への入室者の当該病室からの退室予定時刻を示す退室予定時刻情報を入力する退室予定入力ステップと、前記退室予定時刻情報を対応する前記入室予定情報に関連付けて前記記憶手段に記憶する退室予定記憶ステップと、前記病室からの退室者を特定するための退室者特定情報を取得する退室者特定情報取得ステップと、前記退室者特定情報取得ステップによって前記退室者特定情報が取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であった場合のみに前記退室者の前記病室からの退室を許可するものと判定する退室可否判定ステップと、前記退室可否判定ステップによって退室を許可するものと判定された場合のみに前記退室者の前記病室からの退室を可能とする退室認可ステップと、を更に備えることが好ましい。これにより、病室からの退室者についても病室に入室することが予め設定されている入室者のみに制限することができ、不特定多数の入室者を媒介とした院内感染を更に効果的に防止することができる。
【００２９】
特に、請求項１７記載の発明は、請求項１８に記載の発明のように、前記退室者が前記病室から退室する際に当該退室者の所有物から院内感染を防止するために必要とされる用具を特定するための用具特定情報を取得する退室時用具特定情報取得ステップを更に備え、前記退室可否判定ステップは、前記退室者特定情報取得ステップによって前記退室者特定情報が取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であると共に、前記退室時用具特定情報取得ステップによって取得された前記用具特定情報により示される用具に前記病室に入室する際に当該病室内の患者からの感染を防止するために必要とされる用具が含まれない場合のみに前記退室者の前記病室からの退室を許可するものと判定することが好ましい。これにより、病室からの退室者が所有していた当該病室内の患者からの感染を防止するために必要とされる用具を媒介とした院内感染も防止することができる。
【発明の効果】
【００３０】
本発明によれば、医療施設の病室への入室予定者及び入室予定時刻を示す入室予定情報を記憶手段によって予め記憶しておくと共に、前記病室への入室者を特定するための入室者特定情報を取得可能としておき、前記入室者特定情報を取得した際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定し、入室を許可するものと判定した場合のみに前記入室者の前記病室への入室を可能としているので、不特定多数の入室者を媒介とした院内感染を防止することができる、という効果が得られる。
【発明を実施するための最良の形態】
【００３１】
以下、図面を参照して、本発明を実施するための最良の形態について詳細に説明する。なお、ここでは、本発明を、医療施設内に張り巡らされているネットワークを利用して構築された院内感染防止システムとして適用した場合について説明する。
【００３２】
まず、図１を参照して、本発明が適用された院内感染防止システム１０の構成を説明する。
【００３３】
同図に示すように、本形態に係る院内感染防止システム１０は、当該システム１０全体を管理するシステム管理サーバ２０と、各々医療施設内の各所に設置され、端末装置として機能する複数のパーソナル・コンピュータ（以下、「端末ＰＣ」という。）３０と、医療施設における予め定められた複数のドアに対して個別に設けられた複数の電子錠４２の施錠及び解錠を遠隔制御する施錠管理サーバ４０と、上記ドアの近傍に各々設けられた複数の操作パネル６０との間での各種情報の授受を司る情報管理サーバ５０と、を含んで構成されている。
【００３４】
なお、図２に示されるように、本形態に係る電子錠４２は、医療施設９０の病棟入口のドア９２Ａ、病棟出口のドア９２Ｂ、及び各病室のドア９２Ｃに対して設けられている。
【００３５】
また、図２に示されるように、本形態に係る操作パネル６０は、医療施設９０の病棟入口のドア９２Ａが設置されている壁面における入棟側の当該ドアの近傍と、医療施設９０の病棟出口のドア９２Ｂが設置されている壁面における退棟側の当該ドアの近傍と、医療施設９０の各病室に設けられたドア９２Ｃが設置されている壁面における入室側及び退室側の当該ドアの近傍に各々１台ずつ設けられている。そして、各操作パネル６０は、図１に示すように、各々、所持者を特定するための識別コードが記憶されたＩＤ（Identification）カードから当該識別コードを読み取るＩＤカードリーダ６２と、取り付けられている用具を特定するための識別コードが記憶されたＩＣタグから当該識別コードを非接触で読み取るタグリーダ６４と、各種情報を表示するディスプレイ６６と、を備えている。
【００３６】
すなわち、本形態に係る院内感染防止システム１０では、医療施設９０の各病室に通じるドア９２Ａ〜９２Ｃの通過を制限するためにＩＤカードを用いており、ドア９２Ａ〜９２Ｃの通過が許可された人（以下、「通過許可者」という。）には、当該通過許可者を特定するための個別の識別コード（後述する「関係者識別コード」に相当。）が記憶されたＩＤカードが予め配布される。そして、通過許可者は、ドア９２Ａ〜９２Ｃを通過する際に、当該ドアの近傍に設けられているＩＤカードリーダ６２によって配布されたＩＤカードに記憶されている識別コードを読み取らせる操作を行うことになる。
【００３７】
また、本形態に係る院内感染防止システム１０では、院内感染を防止するために必要とされるマスク、手袋等の装備類や、病室内の患者の検査や治療等に用いる器具類（以下、当該装備類及び器具類を「必要用具」と総称する。）の各々に対して、当該必要用具を特定するための個別の識別コード（後述する「用具識別コード」に相当。）が記憶されたＩＣタグを取り付けている。そして、通過許可者が医療施設９０の各病室に通じるドア９２Ａ〜９２Ｃを通過する際に、当該通過許可者により必要用具を装着したり、所持している際には、当該必要用具に取り付けられたＩＣタグから識別コードがタグリーダ６４により読み出されることになる。なお、図２に示されるように、本実施の形態に係る医療施設９０の各病室には、各種廃棄物を収容するための廃棄物カート９４が配置されているが、当該廃棄物カート９４に対しても、当該廃棄物カート９４を特定するための識別コードが記憶されたＩＣタグが予め取り付けられている。
【００３８】
なお、本形態に係る操作パネル６０には、パスワード等の各種情報を入力するためのテンキー（図示省略。）も備えられている。
【００３９】
図１に示すように、システム管理サーバ２０、各端末ＰＣ３０、施錠管理サーバ４０、及び情報管理サーバ５０は、モデム、ルータ、ＴＡ（Terminal Adapter）等の接続装置７０を介してネットワーク（ここでは、イントラネット）１２に接続されており、システム管理サーバ２０と、各端末ＰＣ３０、施錠管理サーバ４０及び情報管理サーバ５０とは、ネットワーク１２を介して相互通信が可能とされている。従って、システム管理サーバ２０は、施錠管理サーバ４０に対する当該施錠管理サーバ４０を介した各電子錠４２の施錠及び解錠の制御と、情報管理サーバ５０を介した各操作パネル６０のＩＤカードリーダ６２及びタグリーダ６４によって読み出された識別コードの取得と、情報管理サーバ５０を介した各操作パネル６０に設けられているディスプレイ６６による各種情報の表示とを、ネットワーク１２を介して行うことができる。また、各端末ＰＣ３０は、システム管理サーバ２０によって記憶されている各種情報を取得することができる。
【００４０】
なお、ネットワーク１２はイントラネットに限らず、インターネット、ＬＡＮ（Local Area Network）、ＶＡＮ（Value Added Network）、電話回線網、エコーネット（ECHONET）、ＨｏｍｅＰＮＡ等の各種ネットワークを単独又は組み合わせて適用することもできる。
【００４１】
端末ＰＣ３０、施錠管理サーバ４０及び情報管理サーバ５０には、各種情報を入力するためのキーボード、マウス等の入力装置、各種メニュー画面や処理結果等を表示するためのモニタ装置（ディスプレイ）、及び各種情報を印刷するためのプリンタが備えられている。なお、このハードウェア構成は一般的なものであるので、ここでの詳細な説明は省略する。
【００４２】
次に、図３を参照して、院内感染防止システム１０において特に重要な役割を有するシステム管理サーバ２０の電気系の主要構成を説明する。
【００４３】
同図に示すように、本実施の形態に係るシステム管理サーバ２０は、システム管理サーバ２０全体の動作を司るＣＰＵ（中央処理装置）２０Ａと、ＣＰＵ２０Ａによる各種処理プログラムの実行時のワークエリア等として用いられるＲＡＭ（Random Access Memory）２０Ｂと、各種制御プログラムや各種パラメータ等が予め記憶されたＲＯＭ（Read Only Memory）２０Ｃと、各種情報を記憶するために用いられるハードディスク２０Ｄと、各種情報を入力するために用いられるキーボード２０Ｅと、各種情報を表示するために用いられるディスプレイ２０Ｆと、ネットワーク１２を介して外部装置との各種情報の授受を行う入出力ポート２０Ｇと、が備えられており、これら各部はシステムバスＢＵＳにより相互に接続されている。
【００４４】
従って、ＣＰＵ２０Ａは、ＲＡＭ２０Ｂ、ＲＯＭ２０Ｃ、及びハードディスク２０Ｄに対するアクセス、キーボード２０Ｅを介した各種入力情報の取得、ディスプレイ２０Ｆに対する各種情報の表示、及び入出力ポート２０Ｇを介したネットワーク１２に接続された外部装置との間の各種情報の授受、を各々行うことができる。
【００４５】
一方、図４には、システム管理サーバ２０に備えられたハードディスク２０Ｄの主な記憶内容が模式的に示されている。同図に示すように、ハードディスク２０Ｄには、各種データベースを記憶するためのデータベース領域ＤＢと、システム管理サーバ２０を制御するための制御プログラムや各種処理を行うためのプログラム等を記憶するためのプログラム領域ＰＧと、が設けられている。
【００４６】
また、データベース領域ＤＢには、医療施設９０における医師、看護師及び各種作業者（以下、当該医師、看護師及び各種作業者を総称して「関係者」という。）に関する情報を記憶するための関係者データベースＤＢ１と、医療施設９０の病棟における各病室に入院している患者に関する情報を記憶するための患者データベースＤＢ２と、必要用具に関する情報を記憶するための病気別用具データベースＤＢ３と、関係者の病室に対する入室及び退室の予定に関する情報を記憶するためのスケジュールデータベースＤＢ４と、関係者の病室に対する入室及び退室の履歴に関する情報を記憶するための履歴データベースＤＢ５と、が含まれる。以下、これらのデータベースの構成について、図面を参照しつつ詳細に説明する。
【００４７】
図５に示すように、本実施の形態に係る関係者データベースＤＢ１は、関係者識別コード及びパスワードの各情報が記憶されるように構成されている。
【００４８】
なお、上記関係者識別コード情報は、各関係者を識別するために各関係者毎に異なるデータ（本実施の形態では数値データ）として予め付与されるものであり、上記パスワード情報は、対応する関係者によって登録されたパスワードである。
【００４９】
本実施の形態に係る院内感染防止システム１０では、全ての関係者を暫定的に通過許可者としており、各関係者には、自身に割り振られた関係者識別コードが記憶されたＩＤカードが予め配布される。なお、院内感染防止システム１０では、関係者識別コードの上一桁を、対応する関係者の種別（ここでは、医師、看護師、各種作業者の３種別）を示すものとして用いており、当該上一桁を参照することで、対応する関係者の種別を特定することができる。
【００５０】
一方、図６に示すように、本実施の形態に係る患者データベースＤＢ２は、患者識別コード、セキュリティレベル、病名及び病室の各情報が記憶されるように構成されている。
【００５１】
なお、上記患者識別コード情報は、各患者を識別するために各患者毎に異なるデータ（本実施の形態では数値データ）として予め付与されるものである。
【００５２】
また、上記セキュリティレベル情報は、対応する患者が入院している病室への入室の許可レベルを示す情報である。本実施の形態に係る院内感染防止システム１０では、上記セキュリティレベル情報として、病室に無制限に入室できるレベル１と、病室に制限付きで入室できるレベル２と、病室に入室できないレベル３と、の３段階のレベルが適用されている。なお、院内感染防止システム１０では、セキュリティレベルがレベル２とされた病室への入室は医師及び看護師のみが入室できるものとしている。
【００５３】
また、上記病名情報は、対応する患者の病名を示す情報であり、上記病室情報は、対応する患者が入院している病室を示す情報である。
【００５４】
一方、図７に示すように、本実施の形態に係る病気別用具データベースＤＢ３は、病名及び必要用具の各情報が記憶されるように構成されている。また、当該必要用具情報には、キャップ、手袋、マスク、フェイスシールド、ガウン、器具（病室内の患者の検査や治療等に用いる器具）、スリッパ及び患者移送時の患者の装備の各情報が含まれている。
【００５５】
なお、上記病名情報は、院内感染防止システム１０において院内感染の防止対象としている病気の名称を示す情報である。
【００５６】
また、上記必要用具情報は、対応する病気を患っている患者が入院している病室に入室する際に必要とされる必要用具を示す情報である。同図に示すように、本実施の形態に係る病気別用具データベースＤＢ３では、当該必要用具情報を、院内感染の防止対象とする各病気毎に必要／不必要の別を示す情報（ここでは、必要である場合は‘○’で不必要である場合は‘−’）がテーブル形式で記憶されている。同図に示す例では、例えば、「麻疹」、「水痘」、「結核」の何れかを患っている患者の病室に入室する際には、キャップ、手袋、マスク、フェイスシールド、ガウン、器具、スリッパ、及び患者移送時の患者の装備を装着ないし所持する必要があることを示している。
【００５７】
なお、本実施の形態に係る院内感染防止システム１０では、取り扱い対象としている全ての必要用具に対して、各々を識別するために各必要用具毎に異なる用具識別コード（本実施の形態ではアルファベットと数値を組み合わせたデータ）が予め付与されており、上記必要用具情報として、必要／不必要の別を示す情報に加え、必要である場合の当該必要用具に対応する用具識別コード情報も記憶されている。同図に示す例では、例えば、「麻疹」を患っている患者の病室に入室する際に必要とされるキャップは、用具識別コードとして‘Ａ０１’が付与されたキャップであることを示している。なお、本実施の形態に係る院内感染防止システム１０では、取り扱い対象としている全ての必要用具に対して用具識別コードが記憶されたＩＣタグが取り付けられることは前述した通りである。
【００５８】
一方、図８に示すように、本実施の形態に係るスケジュールデータベースＤＢ４は、関係者識別コード、入退室日時、患者識別コード、病室及び完了の各情報が記憶されるように構成されている。
【００５９】
なお、上記関係者識別コード情報、患者識別コード情報及び病室情報は、関係者データベースＤＢ１及び患者データベースＤＢ２のそれと同一の情報であり、上記入退室日時情報は、対応する関係者識別コードにより特定される関係者の、対応する病室への入室予定日時及び当該病室からの退室予定日時を示す情報である。
【００６０】
同図に示す例では、例えば、関係者識別コードとして‘０００１’が付与された関係者が、２００４年７月１６日の１４時から１５時まで、患者識別コードとして‘５００１’が付与された患者の病室に入室する予定（スケジュール）となっていることを示している。
【００６１】
また、上記完了情報は、対応するスケジュールが完了したか否かを示す情報（ここでは、完了した場合は‘○’で未完了である場合は‘−’）である。
【００６２】
一方、図９に示すように、本実施の形態に係る履歴データベースＤＢ５は、日付、時刻、関係者識別コード、病室及び患者識別コードの各情報が記憶されるように構成されている。
【００６３】
なお、上記関係者識別コード情報、病室情報及び患者識別コード情報は、関係者データベースＤＢ１及び患者データベースＤＢ２のそれと同一の情報であり、上記日付情報及び時刻情報は、対応する関係者識別コードによって特定される関係者が、対応する患者の入院している病室に入室した日付及び時刻（入室時刻及び退室時刻）を示す情報である。
【００６４】
同図に示す例では、例えば、関係者識別コードとして‘０００１’が付与された関係者が、２００４年７月１６日の１４時から１４時５２分まで、患者識別コードとして‘５００１’が付与された患者の病室に入室していたことを示している。
【００６５】
次に、本実施の形態に係る院内感染防止システム１０の作用を説明する。なお、錯綜を回避するために、以下では、関係者データベースＤＢ１、患者データベースＤＢ２、及び病気別用具データベースＤＢ３の各データベースが予め構築されており、各関係者に自身に付与された関係者識別コードが記憶されたＩＤカードが配布されており、各必要用具に、当該必要用具に付与された用具識別コードが記憶されたＩＣタグが取り付けられている場合について説明する。
【００６６】
まず、図１０を参照して、各関係者のスケジュールをスケジュールデータベースＤＢ４に登録する際の院内感染防止システム１０の作用を説明する。なお、図１０は、何れかの関係者に関する病室への入退室スケジュールを登録する旨の指示入力（以下、「登録指示入力」という。）がシステム管理サーバ２０に対して行われた際に、システム管理サーバ２０のＣＰＵ２０Ａにおいて実行されるスケジュール登録プログラムの処理の流れを示すフローチャートであり、当該プログラムはハードディスク２０Ｄのプログラム領域ＰＧに予め記憶されている。
【００６７】
同図のステップ１００では、スケジュールの登録対象とする関係者の関係者識別コード、当該関係者が入室予定としている病室、当該病室への入退室日時、及び当該病室に入院している患者の患者識別コードの各情報の入力を促すメッセージをディスプレイ２０Ｆに表示することにより、これらの各情報を入力させる。なお、この際、当該スケジュールの登録者は、システム管理サーバ２０に設けられているキーボード２０Ｅを用いて、これらの情報を入力する。
【００６８】
そして、次のステップ１０２にて、入力された各情報をスケジュールデータベースＤＢ４に登録し、その後に本スケジュール登録プログラムを終了する。なお、上記ステップ１０２では、入力された関係者識別コードが既に登録されている場合は、当該関係者識別コード以外の入力情報を既登録の関係者識別コードに対応付けて登録し、入力された関係者識別コードが登録されていない場合には、入力情報の全てを新規に登録するようにする。また、このとき、対応する完了情報として未完了であることを示す情報（ここでは、‘−’）を登録するようにする。
【００６９】
以上のスケジュール登録プログラムの実行により、図８に示されるスケジュールデータベースＤＢ４が構築されることになる。
【００７０】
次に、図１１を参照して、システム管理サーバ２０において実行される院内感染防止処理について説明する。なお、図１１は、所定期間（本実施の形態では、０．１秒間）毎にシステム管理サーバ２０のＣＰＵ２０Ａにおいて実行される院内感染防止プログラムの処理の流れを示すフローチャートであり、当該プログラムもハードディスク２０Ｄのプログラム領域ＰＧに予め記憶されている。
【００７１】
まず、ステップ２００では、病棟に入棟する際に通過するドア９２Ａの当該病棟の外側に設けられた操作パネル６０のＩＤカードリーダ６２によってＩＤカードに対する読み取りが行われたか否かを判定し、肯定判定となった場合はステップ２０２に移行して、病棟入棟検査処理プログラム（サブルーチン・プログラム）を実行し、その後に本院内感染防止プログラムを終了する。
【００７２】
一方、上記ステップ２００において否定判定となった場合はステップ２０４に移行し、病棟内における何れかの病室に入室する際に通過するドア９２Ｃの当該病室の外側に設けられた操作パネル６０のＩＤカードリーダ６２によってＩＤカードに対する読み取りが行われたか否かを判定し、肯定判定となった場合はステップ２０６に移行して、病室入室検査処理プログラム（サブルーチン・プログラム）を実行し、その後に本院内感染防止プログラムを終了する。
【００７３】
一方、上記ステップ２０４において否定判定となった場合はステップ２０８に移行し、病棟内における何れかの病室から退室する際に通過するドア９２Ｃの当該病室の内側に設けられた操作パネル６０のＩＤカードリーダ６２によってＩＤカードに対する読み取りが行われたか否かを判定し、肯定判定となった場合はステップ２１０に移行して、病室退室検査処理プログラム（サブルーチン・プログラム）を実行し、その後に本院内感染防止プログラムを終了する。
【００７４】
一方、上記ステップ２０８において否定判定となった場合はステップ２１２に移行し、病棟から退棟する際に通過するドア９２Ｂの当該病棟の内側に設けられた操作パネル６０のＩＤカードリーダ６２によってＩＤカードに対する読み取りが行われたか否かを判定し、肯定判定となった場合はステップ２１４に移行して、病棟退棟検査処理プログラム（サブルーチン・プログラム）を実行し、その後に本院内感染防止プログラムを終了する。
【００７５】
なお、上記ステップ２１２において否定判定となった場合は、医療施設９０の病棟における何れのドアでもＩＤカードの読み取り操作は行われなかったものと見なして、何ら処理を実行することなく本院内感染防止プログラムを終了する。
【００７６】
次に、図１２を参照して、病棟入棟検査処理プログラムについて説明する。なお、図１２は、当該病棟入棟検査処理プログラムの処理の流れを示すフローチャートであり、当該プログラムもハードディスク２０Ｄのプログラム領域ＰＧに予め記憶されている。
【００７７】
同図のステップ３００では、院内感染防止プログラムのメイン・ルーチン（図１１も参照。）のステップ２００において読み取りが行われたと判定された関係者識別コードを、読み取りを行った操作パネル６０（以下、「処理対象入棟操作パネル」という。）からネットワーク１２を介して取得する。
【００７８】
次のステップ３０２では、取得した関係者識別コードが関係者データベースＤＢ１に登録されているか否かを判定して、肯定判定となった場合はステップ３０４に移行し、否定判定となった場合は後述するステップ３１８に移行する。
【００７９】
ステップ３０４では、取得した関係者識別コードに対応するパスワード情報を関係者データベースＤＢ１から読み出すと共に、取得した関係者識別コードに対応する入退室日時情報をスケジュールデータベースＤＢ４から読み出す。例えば、関係者データベースＤＢ１及びスケジュールデータベースＤＢ４が各々図５及び図８に示すものである場合、取得した関係者識別コードが‘０００１’であった場合には、上記パスワード情報として‘ＡＢＣＤ’が読み出され、上記入退室日時情報として、‘０４０７１６  １４：００−０４０７１６  １５：００’、‘０４０７１６  １５：３０−０４０７１６  １６：３０’、・・・、が読み出される。
【００８０】
次のステップ３０６では、読み出した入退室日時情報のうち、この時点の日時に最も近い入室予定日時を示す入退室日時情報によって示される当該入室予定日時と、この時点の日時との差が所定時間（本発明の「第２の所定時間」に相当し、本実施の形態では、１０分）以内であるか否かを判定することによって入棟者がスケジュール通りに入棟しようとしているか否かを判定して、肯定判定となった場合はステップ３０８に移行し、否定判定となった場合は後述するステップ３１８に移行する。
【００８１】
ここで、病棟に入棟しようとしている関係者は、処理対象入棟操作パネルに設けられている不図示のテンキーを用いて、自身が登録したパスワードを入力する。
【００８２】
そこで、ステップ３０８では、当該パスワードを処理対象入棟操作パネルからネットワーク１２を介して取得し、次のステップ３１０では、取得したパスワードと、上記ステップ３０４の処理によって読み出したパスワード情報により示されるパスワードが一致するか否かを判定して、肯定判定となった場合はステップ３１２に移行し、否定判定となった場合には後述するステップ３１８に移行する。
【００８３】
ステップ３１２では、上記ステップ３００の処理によって取得した関係者識別コードに対応する患者識別コード情報及び病室情報をスケジュールデータベースＤＢ４から読み出した後、当該患者識別コード情報に対応する病名情報を患者データベースＤＢ２から読み出し、更に、読み出した病名情報に対応する必要用具情報を病気別用具データベースＤＢ３から読み出す。そして、次のステップ３１４にて、読み出した病室情報及び必要用具情報を用いて、入室を予定している病室毎に装備ないし所持する必要のある必要用具を示す画面（以下、「必要用具表示画面」という。）が処理対象入棟操作パネルのディスプレイ６６に表示されるように当該操作パネルを、ネットワーク１２を介して制御する。
【００８４】
図１３には、上記ステップ３１４の処理によって処理対象入棟操作パネルのディスプレイ６６に表示される必要用具表示画面の表示状態例が示されている。同図に示す例では、必要用具表示画面として、これから入室を予定している病室毎に装備ないし所持する必要のある必要用具を示す名称及び用具識別コードが表示される。従って、病棟への入棟者は、当該必要用具表示画面を参照することによって、これから入室を予定している病室に入室する際の必要用具を把握することができる。
【００８５】
次のステップ３１６では、ドア９２Ａの施錠を解錠するようにネットワーク１２を介して施錠管理サーバ４０を制御し、その後に本病棟入棟検査処理プログラムを終了する。
【００８６】
一方、ステップ３１８では、読み取られた関係者識別コード、予定されていたスケジュール、及び入力されたパスワードの何れかにおいて不備があったためドア９２Ａの施錠を解錠することができない旨のエラーメッセージを処理対象入棟操作パネルのディスプレイ６６によって表示させ、その後に本病棟入棟検査処理プログラムを終了する。
【００８７】
以上の病棟入棟検査処理プログラムによる検査を経て病棟内に入棟した関係者は、処理対象入棟操作パネルのディスプレイ６６により表示された必要用具表示画面によって示された次の訪問先病室に関する必要用具を、当該必要用具が保管されている部屋（図２に示す例では、着衣室及び器材庫）において装着ないし所持した後に目的とする病室に向かう。そして、当該関係者は、目的とする病室の外側に設けられた操作パネル６０のＩＤカードリーダ６２によってＩＤカードの読み取りを行う。この結果、前述した院内感染防止プログラムのステップ２０４の処理において肯定判定となって、病室入室検査処理プログラムが実行される。
【００８８】
次に、図１４を参照して、病室入室検査処理プログラムについて説明する。なお、図１４は、当該病室入室検査処理プログラムの処理の流れを示すフローチャートであり、当該プログラムもハードディスク２０Ｄのプログラム領域ＰＧに予め記憶されている。
【００８９】
同図のステップ４００では、院内感染防止プログラムのメイン・ルーチン（図１１も参照。）のステップ２０４において読み取りが行われたと判定された関係者識別コードを、読み取りを行った操作パネル６０（以下、「処理対象入室操作パネル」という。）からネットワーク１２を介して取得する。
【００９０】
次のステップ４０２では、取得した関係者識別コードが関係者データベースＤＢ１に登録されているか否かを判定して、肯定判定となった場合はステップ４０４に移行し、否定判定となった場合は後述するステップ４２２に移行する。
【００９１】
ステップ４０４では、取得した関係者識別コードに対応する入退室日時情報及び病室情報をスケジュールデータベースＤＢ４から読み出す。例えば、スケジュールデータベースＤＢ４が図８に示すものである場合、取得した関係者識別コードが‘０００１’であった場合には、上記入退室日時情報として、‘０４０７１６  １４：００−０４０７１６  １５：００’、‘０４０７１６  １５：３０−０４０７１６  １６：３０’、・・・、が読み出され、上記病室情報として、‘Ａ０１０１’、‘Ａ０１０２’、・・・、が読み出される。
【００９２】
次のステップ４０６では、読み出した病室情報により示される病室に処理対象入室操作パネルが設置されている病室が含まれており、かつ読み出した入退室日時情報により示される当該病室への入室予定日時と、この時点の日時との差が所定時間（本発明の「所定時間」に相当し、本実施の形態では、８分）以内であるか否かを判定することによって当該病室への入室者がスケジュール通りに入室しようとしているか否かを判定して、肯定判定となった場合はステップ４０８に移行し、否定判定となった場合は後述するステップ４２２に移行する。
【００９３】
ステップ４０８では、処理対象入室操作パネルに設けられているタグリーダ６４によって入室者が装着ないし所持している必要用具に取り付けられたＩＣタグから読み出されている用具識別コードを取得する。なお、ここで、入室者が必要用具を何も装着ないし所持していない場合には用具識別コードが取得されないことは言うまでもない。
【００９４】
次のステップ４１０では、上記ステップ４００の処理によって取得した関係者識別コード及び処理対象入室操作パネルが設けられている病室に対応する患者識別コード情報をスケジュールデータベースＤＢ４から読み出した後、当該患者識別コード情報に対応する病名情報を患者データベースＤＢ２から読み出し、更に、読み出した病名情報に対応する必要用具情報を病気別用具データベースＤＢ３から読み出す。そして、次のステップ４１２にて、上記ステップ４０８において取得した用具識別コードに上記ステップ４１０において読み出した必要用具情報における用具識別コードの全てが含まれるか否かを判定し、肯定判定となった場合はステップ４１４に移行し、否定判定となった場合は後述するステップ４２２に移行する。
【００９５】
ステップ４１４では、上記ステップ４１０の処理において読み出した患者識別コードに対応するセキュリティレベル情報を患者データベースＤＢ２から読み出し、次のステップ４１６では、読み出したセキュリティレベル情報によって示されるセキュリティレベルが入室可能なセキュリティレベルであるか否かを判定し、肯定判定となった場合はステップ４１８に移行し、否定判定となった場合は後述するステップ４２２に移行する。なお、本実施の形態では、上記ステップ４１６において、セキュリティレベルがレベル１である場合と、セキュリティレベルがレベル２であり、かつ関係者識別コードによって特定される関係者が医師又は看護師である場合に入室可能なセキュリティレベルであるものと判定する。
【００９６】
ステップ４１８では、処理対象入室操作パネルが設けられた病室のドア９２Ｃの施錠を解錠するようにネットワーク１２を介して施錠管理サーバ４０を制御し、次のステップ４２０にて、この時点の日付及び時刻と、上記ステップ４００において取得した関係者識別コードと、処理対象入室操作パネルが設けられている病室と、当該病室に入院している患者を示す患者識別コードと、を履歴データベースＤＢ５に登録し、その後に本病室入室検査処理プログラムを終了する。
【００９７】
一方、ステップ４２２では、読み取られた関係者識別コード、予定されていたスケジュール、病室への入室に必要とされる必要用具、及び入室する病室のセキュリティレベルの何れかにおいて不備があったためドア９２Ｃの施錠を解錠することができない旨のエラーメッセージを処理対象入室操作パネルのディスプレイ６６によって表示させ、その後に本病室入室検査処理プログラムを終了する。
【００９８】
以上の病室入室検査処理プログラムによる検査を経て病室内に入室した関係者は、当該病室内において必要な作業を行った後、装着ないし所持していた必要用具の全てを、当該病室内に設けられている廃棄物カート９４（図２も参照。）に収容する。そして、当該関係者は、当該病室の内側に設けられた操作パネル６０のＩＤカードリーダ６２によってＩＤカードに対する読み取りを行う。この結果、前述した院内感染防止プログラムのステップ２０８の処理において肯定判定となって、病室退室検査処理プログラムが実行される。
【００９９】
次に、図１５を参照して、病室退室検査処理プログラムについて説明する。なお、図１５は、当該病室退室検査処理プログラムの処理の流れを示すフローチャートであり、当該プログラムもハードディスク２０Ｄのプログラム領域ＰＧに予め記憶されている。
【０１００】
同図のステップ５００では、院内感染防止プログラムのメイン・ルーチン（図１１も参照。）のステップ２０８において読み取りが行われたと判定された関係者識別コードを、読み取りを行った操作パネル６０（以下、「処理対象退室操作パネル」という。）からネットワーク１２を介して取得する。
【０１０１】
次のステップ５０２では、取得した関係者識別コードが関係者データベースＤＢ１に登録されているか否かを判定して、肯定判定となった場合はステップ５０４に移行し、否定判定となった場合は後述するステップ５２０に移行する。
【０１０２】
ステップ５０４では、取得した関係者識別コードに対応する入退室日時情報及び病室情報をスケジュールデータベースＤＢ４から読み出す。例えば、スケジュールデータベースＤＢ４が図８に示すものである場合、取得した関係者識別コードが‘０００１’であった場合には、上記入退室日時情報として、‘０４０７１６  １４：００−０４０７１６  １５：００’、‘０４０７１６  １５：３０−０４０７１６  １６：３０’、・・・、が読み出され、上記病室情報として、‘Ａ０１０１’、‘Ａ０１０２’、・・・、が読み出される。
【０１０３】
次のステップ５０６では、読み出した病室情報により示される病室に処理対象退室操作パネルが設置されている病室が含まれており、かつ読み出した入退室日時情報により示される当該病室からの退室予定日時と、この時点の日時との差が所定時間（本発明の「第３の所定時間」に相当し、本実施の形態では、９分）以内であるか否かを判定することによって当該病室からの退室者がスケジュール通りに退室しようとしているか否かを判定して、肯定判定となった場合はステップ５０８に移行し、否定判定となった場合は後述するステップ５２０に移行する。
【０１０４】
ステップ５０８では、処理対象退室操作パネルに設けられているタグリーダ６４によって退室者が装着ないし所持している必要用具に取り付けられたＩＣタグから読み出されている用具識別コードを取得する。なお、ここで、退室者が必要用具を何も装着ないし所持していない場合には用具識別コードが取得されないことは言うまでもない。
【０１０５】
次のステップ５１０では、上記ステップ５０８において用具識別コードが取得されなかったか否かを判定し、肯定判定となった場合はステップ５１２に移行し、否定判定となった場合は後述するステップ５１８に移行する。
【０１０６】
ステップ５１２では、上記ステップ５００の処理によって取得された関係者識別コード及び上記ステップ５０６において判定対象となった入退室日時情報に対応する完了情報をスケジュールが完了したことを示す情報（ここでは、‘○’）とするようにスケジュールデータベースＤＢ４を更新する。
【０１０７】
そして、次のステップ５１４にて、処理対象退室操作パネルが設けられた病室のドア９２Ｃの施錠を解錠するようにネットワーク１２を介して施錠管理サーバ４０を制御し、次のステップ５１６にて、この時点の時刻を、当該病室への入室時に前述した病室入室検査処理プログラムにおけるステップ４２０の処理によって登録された情報に対応付けて履歴データベースＤＢ５に登録し、その後に本病室退室検査処理プログラムを終了する。
【０１０８】
一方、ステップ５１８では、上記ステップ５０８の処理によって取得された用具識別コードが廃棄物カート９４に対応するもののみであるか否かを判定し、肯定判定となった場合は当該病室内の廃棄物カート９４を正規に搬出するものと見なしてステップ５１２に移行し、否定判定となった場合にはステップ５２０に移行する。
【０１０９】
そして、ステップ５２０では、読み取られた関係者識別コード、予定されていたスケジュール、及び装着ないし所持している必要用具の何れかにおいて不備があったためドア９２Ｃの施錠を解錠することができない旨のエラーメッセージを処理対象退室操作パネルのディスプレイ６６によって表示させ、その後に本病室退室検査処理プログラムを終了する。
【０１１０】
以上の病室退室検査処理プログラムによる検査を経て病室外に退室した関係者は、自身のスケジュールに応じて他の病室に入室するか、又は廃棄物カート９４を汚物処理室（図２も参照。）に搬送するか、又は病棟から退棟することになる。
【０１１１】
ここで、他の病室に入室する場合に関係者は、病棟への入棟時に操作パネル６０のディスプレイ６６によって表示された必要用具表示画面（図１３も参照。）により示されていた当該病室に入室する際に必要とされる必要用具を、当該必要用具が保管されている部屋（図２に示す例では、着衣室及び器材庫）において装着ないし所持した後に目的とする病室に向かう。そして、当該関係者は、目的とする病室の外側に設けられた操作パネル６０のＩＤカードリーダ６２によってＩＤカードの読み取りを行う。この結果、前述した院内感染防止プログラムのステップ２０４の処理において肯定判定となって、上述した病室入室検査処理プログラムが再び実行される。
【０１１２】
一方、関係者が病室への訪問予定を完了して病棟から退棟する際には、病棟出口のドア９２Ｂの近傍に設けられている操作パネル６０のＩＤカードリーダ６２によってＩＤカードの読み取りを行う。この結果、前述した院内感染防止プログラムのステップ２１２の処理において肯定判定となって、病棟退棟検査処理プログラムが実行される。
【０１１３】
次に、図１６を参照して、病棟退棟検査処理プログラムについて説明する。なお、図１６は、当該病棟退棟検査処理プログラムの処理の流れを示すフローチャートであり、当該プログラムもハードディスク２０Ｄのプログラム領域ＰＧに予め記憶されている。
【０１１４】
同図のステップ６００では、院内感染防止プログラムのメイン・ルーチン（図１１も参照。）のステップ２１２において読み取りが行われたと判定された関係者識別コードを、読み取りを行った操作パネル６０（以下、「処理対象退棟操作パネル」という。）からネットワーク１２を介して取得する。
【０１１５】
次のステップ６０２では、取得した関係者識別コードが関係者データベースＤＢ１に登録されているか否かを判定して、肯定判定となった場合はステップ６０４に移行し、否定判定となった場合は後述するステップ６１４に移行する。
【０１１６】
ステップ６０４では、取得した関係者識別コードに対応する入退室日時情報をスケジュールデータベースＤＢ４から読み出す。例えば、スケジュールデータベースＤＢ４が図８に示すものである場合、取得した関係者識別コードが‘０００１’であった場合には、上記入退室日時情報として、‘０４０７１６  １４：００−０４０７１６  １５：００’、‘０４０７１６  １５：３０−０４０７１６  １６：３０’、・・・、が読み出される。
【０１１７】
次のステップ６０６では、読み出した入退室日時情報のうち、この時点の日時に最も近い退室予定日時を示す入退室日時情報によって示される当該退室予定日時と、この時点の日時との差が所定時間（本発明の「第４の所定時間」に相当し、本実施の形態では、１５分）以内であるか否かを判定することによって退棟者がスケジュール通りに退棟しようとしているか否かを判定して、肯定判定となった場合はステップ６０８に移行し、否定判定となった場合は後述するステップ６１４に移行する。
【０１１８】
ステップ６０８では、処理対象退棟操作パネルに設けられているタグリーダ６４によって退棟者が装着ないし所持している必要用具に取り付けられたＩＣタグから読み出されている用具識別コードを取得する。なお、ここで、退棟者が必要用具を何も装着ないし所持していない場合には用具識別コードが取得されないことは言うまでもない。
【０１１９】
次のステップ６１０では、上記ステップ６０８において用具識別コードが取得されなかったか否かを判定し、肯定判定となった場合はステップ６１２に移行し、否定判定となった場合は後述するステップ６１４に移行する。
【０１２０】
ステップ６１２では、病棟出口のドア９２Ｂの施錠を解錠するようにネットワーク１２を介して施錠管理サーバ４０を制御し、その後に本病棟退棟検査処理プログラムを終了する。
【０１２１】
一方、ステップ６１４では、読み取られた関係者識別コード、予定されていたスケジュール、及び装着ないし所持している必要用具の何れかにおいて不備があったためドア９２Ｂの施錠を解錠することができない旨のエラーメッセージを処理対象退棟操作パネルのディスプレイ６６によって表示させ、その後に本病棟退棟検査処理プログラムを終了する。
【０１２２】
以上詳細に説明したように、本実施の形態では、医療施設の病室への入室予定者及び入室予定時刻を示す入室予定情報（ここでは、スケジュールデータベースＤＢ４に記憶される関係者識別コード情報及び入退室日時情報）を記憶手段（ここでは、ハードディスク２０Ｄ）によって予め記憶しておくと共に、前記病室への入室者を特定するための入室者特定情報（ここでは、ＩＤカードに記憶された関係者識別コード）を取得可能としておき、前記入室者特定情報を取得した際に、当該入室者特定情報により特定された入室者が前記入室予定情報により示される入室予定者と合致し、かつこの時点の時刻と前記入室予定情報により示される入室予定時刻との差が所定時間以内であった場合のみに当該入室者の前記病室への入室を許可するものと判定し、入室を許可するものと判定した場合のみに前記入室者の前記病室への入室を可能としているので、不特定多数の入室者を媒介とした院内感染を防止することができる。
【０１２３】
また、本実施の形態では、前記入室者が前記病室に入室する際に当該入室者の所有物から院内感染を防止するために必要とされる用具を特定するための用具特定情報（ここでは、必要用具に設けられたＩＣタグに記憶されている用具識別コード）を取得する用具特定情報取得手段（ここでは、タグリーダ６４）を備え、前記入室者特定情報が取得された際に、当該入室者特定情報により特定された入室者が前記入室予定情報により示される入室予定者と合致し、かつこの時点の時刻と前記入室予定情報により示される入室予定時刻との差が所定時間以内であると共に、前記用具特定情報取得手段によって取得された前記用具特定情報により示される用具が前記病室に入室する際に当該病室内の患者からの感染を防止するために必要とされる全ての用具を含む場合のみに当該入室者の前記病室への入室を許可するものと判定しているので、入室者への病室内の患者からの感染を防止することができる。
【０１２４】
また、本実施の形態では、前記病室への入室者の入室時刻及び当該入室者を示す入室履歴情報（ここでは、履歴データベースＤＢ５に記憶される日付情報、時刻情報及び関係者識別コード情報）を前記記憶手段に記憶しているので、院内感染が発生した場合の感染経路を把握しやすくすることができる。
【０１２５】
また、本実施の形態では、前記病室が設けられている病棟への入棟者を特定するための入棟者特定情報（ここでは、ＩＤカードに記憶された関係者識別コード）を取得する入棟者特定情報取得手段（ここでは、ＩＤカードリーダ６２）を備えると共に、前記入棟者特定情報取得手段によって前記入棟者特定情報が取得された際に、当該入棟者特定情報により特定された入棟者が前記入室予定情報により示される入室予定者と合致し、かつこの時点の時刻と前記入室予定情報により示される入室予定時刻との差が第２の所定時間以内であった場合のみに当該入棟者の前記病棟への入棟を許可するものと判定し、入棟を許可するものと判定した場合のみに前記入棟者の前記病棟への入棟を可能としているので、病棟への入棟者も病室に入室することが予め設定されている入室者のみに制限することができ、不特定多数の入室者を媒介とした院内感染を更に効果的に防止することができる。
【０１２６】
また、本実施の形態では、前記病室への入室者の当該病室からの退室予定時刻を示す退室予定時刻情報（ここでは、スケジュールデータベースＤＢ４に記憶される入退室日時情報）を入力すると共に、当該退室予定時刻情報を対応する前記入室予定情報に関連付けて前記記憶手段に記憶しておき、前記病室からの退室者を特定するための退室者特定情報（ここでは、ＩＤカードに記憶された関係者識別コード）が退室者特定情報取得手段（ここでは、ＩＤカードリーダ６２）によって取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であった場合のみに前記退室者の前記病室からの退室を許可するものと判定し、退室を許可するものと判定した場合のみに前記退室者の前記病室からの退室を可能としているので、病室からの退室者についても病室に入室することが予め設定されている入室者のみに制限することができ、不特定多数の入室者を媒介とした院内感染を更に効果的に防止することができる。
【０１２７】
また、本実施の形態では、前記退室者が前記病室から退室する際に当該退室者の所有物から院内感染を防止するために必要とされる用具を特定するための用具特定情報（ここでは、必要用具に設けられたＩＣタグに記憶されている用具識別コード）を取得する退室時用具特定情報取得手段（ここでは、タグリーダ６４）を更に備え、前記退室者特定情報取得手段によって前記退室者特定情報が取得された際に、当該退室者特定情報により特定された退室者が前記入室予定情報により示される入室予定者と合致し、かつこの時点の時刻と当該入室予定情報に関連付けられて記憶された前記退室予定時刻情報により示される退室予定時刻との差が第３の所定時間以内であると共に、前記退室時用具特定情報取得手段によって取得された前記用具特定情報により示される用具に前記病室に入室する際に当該病室内の患者からの感染を防止するために必要とされる用具が含まれない場合のみに前記退室者の前記病室からの退室を許可するものと判定しているので、病室からの退室者が所有していた当該病室内の患者からの感染を防止するために必要とされる用具を媒介とした院内感染も防止することができる。
【０１２８】
また、本実施の形態では、前記病室からの退室者の退室時刻及び当該退室者を示す退室履歴情報（ここでは、履歴データベースＤＢ５に記憶される時刻情報）を前記記憶手段に記憶しているので、院内感染が発生した場合の感染経路を把握しやすくすることができる。
【０１２９】
更に、本実施の形態では、前記病室が設けられている病棟からの退棟者を特定するための退棟者特定情報（ここでは、ＩＤカードに記憶された関係者識別コード）を取得する退棟者特定情報取得手段（ここでは、ＩＤカードリーダ６２）を備えると共に、前記退棟者特定情報取得手段によって前記退棟者特定情報が取得された際に、当該退棟者特定情報により特定された退棟者が前記入室予定情報により示される入室予定者と合致し、かつこの時点の時刻と当該入室予定情報に関連付けられて記憶された前記退室予定時刻情報により示される退室予定時刻との差が第４の所定時間以内であった場合のみに当該退棟者の前記病棟からの退棟を許可するものと判定し、退棟を許可するものと判定した場合のみに前記退棟者の前記病棟からの退棟を可能としているので、病棟からの退棟者も病室に入室することが予め設定されている入室者のみに制限することができ、不特定多数の入室者を媒介とした院内感染を更に効果的に防止することができる。
【０１３０】
なお、本実施の形態では、関係者のスケジュールをシステム管理サーバ２０を用いて登録する場合について説明したが、本発明はこれに限定されるものではなく、例えば、何れかの端末ＰＣ３０を用いて登録する形態とすることもできる。この場合も、本実施の形態と同様の効果を奏することができる。
【０１３１】
また、本実施の形態では、必要用具に当該必要用具を特定するためのＩＣタグを設けておき、これをタグリーダにて読み取ることによって用具特定情報を取得する場合について説明したが、本発明はこれに限定されるものではなく、例えば、各必要用具の形状や色、模様等の特徴情報を予め登録しておき、関係者に対する入室時、退室時等の検査時に、当該関係者の撮影画像に対する上記特徴情報を用いたパターンマッチングを行うことによって、当該関係者が装着ないし所持している必要用具の用具特定情報を取得する形態とすることもできる。この場合、必要特定情報の取得精度は低減するものの、各必要用具にＩＣタグを設けるためのコストや手間を削減することができる。
【０１３２】
また、本実施の形態では、ＩＤカードを利用して入室者特定情報、入棟者特定情報、退室者特定情報、及び退棟者特定情報を取得する場合について説明したが、本発明はこれに限定されるものではなく、例えば、関係者に関係者識別コードが記憶されたＩＣタグを所持させ、当該ＩＣタグをタグリーダで読み出すことによって各特定情報を取得する形態とすることもできる。この場合、関係者は意識することなく自身の特定情報を取得させることができ、利便性を向上させることができる。
【０１３３】
また、本実施の形態では、関係者を、医師、看護師、及び各種作業員とした場合について説明したが、本発明はこれに限定されるものではなく、例えば、これらに加えて、外部からの訪問者を含める形態とすることもできる。この場合、当該訪問者の訪問予定をスケジュールデータベースＤＢ４に事前に登録しておくと共に、当該訪問者に対して当該訪問者を特定するためのＩＤカードを配布しておくことになる。この場合も、本実施の形態と同様の効果を奏することができる。
【０１３４】
その他、本実施の形態で説明した院内感染防止システム１０の構成（図１〜図４参照。）は一例であり、本発明の主旨を逸脱しない範囲内において適宜変更可能であることは言うまでもない。
【０１３５】
また、本実施の形態で示した各種プログラムの処理の流れ（図１０〜図１２、図１４〜図１６参照。）も一例であり、本発明の主旨を逸脱しない範囲内において適宜変更可能であることは言うまでもない。
【０１３６】
例えば、本実施の形態に係る病棟入棟検査処理プログラム及び病棟退棟検査処理プログラムでは、ドアを解錠した際の履歴の登録を行わない場合について説明したが、本発明はこれに限定されるものではなく、当該履歴の登録を行う形態とすることもできる。この場合の形態例としては、病棟入棟検査処理プログラムのステップ３１６の直前又は直後に、その時点の日付及び時刻とステップ３００において取得した関係者識別コードをハードディスク２０Ｄの所定領域に記憶（登録）する処理を行うステップを追加する形態や、病棟退棟検査処理プログラムのステップ６１２の直前又は直後に、その時点の日付及び時刻と上記ステップ６００において取得した関係者識別コードをハードディスク２０Ｄの所定領域に記憶（登録）する処理を行うステップを追加する形態等を例示することができる。この場合、院内感染が発生した場合の感染経路を、より把握しやすくすることができる。
【０１３７】
また、本実施の形態で示した必要用具表示画面の構成（図１３参照。）も一例であり、本発明の主旨を逸脱しない範囲内において適宜変更可能であることは言うまでもない。
【０１３８】
更に、本実施の形態で示した各種データベースの構成（図５〜図９参照。）も一例であり、本発明の主旨を逸脱しない範囲内において適宜変更可能であることは言うまでもない。
【図面の簡単な説明】
【０１３９】
【図１】実施の形態に係る院内感染防止システム１０の構成を示す模式図である。
【図２】実施の形態に係る院内感染防止システム１０が構築された医療施設９０の概略平面図である。
【図３】実施の形態に係るシステム管理サーバ２０の電気系の主要構成を示すブロック図である。
【図４】実施の形態に係るシステム管理サーバ２０に備えられたハードディスク２０Ｄの主な記憶内容を示す模式図である。
【図５】実施の形態に係る関係者データベースＤＢ１の構成を示す模式図である。
【図６】実施の形態に係る患者データベースＤＢ２の構成を示す模式図である。
【図７】実施の形態に係る病気別用具データベースＤＢ３の構成を示す模式図である。
【図８】実施の形態に係るスケジュールデータベースＤＢ４の構成を示す模式図である。
【図９】実施の形態に係る履歴データベースＤＢ５の構成を示す模式図である。
【図１０】実施の形態に係るスケジュール登録プログラムの処理の流れを示すフローチャートである。
【図１１】実施の形態に係る院内感染防止プログラムの処理の流れを示すフローチャートである。
【図１２】実施の形態に係る病棟入棟検査処理プログラムの処理の流れを示すフローチャートである。
【図１３】実施の形態に係る必要用具表示画面の表示状態を示す概略図である。
【図１４】実施の形態に係る病室入室検査処理プログラムの処理の流れを示すフローチャートである。
【図１５】実施の形態に係る病室退室検査処理プログラムの処理の流れを示すフローチャートである。
【図１６】実施の形態に係る病棟退棟検査処理プログラムの処理の流れを示すフローチャートである。
【符号の説明】
【０１４０】
１０    院内感染防止システム
１２    ネットワーク
２０    システム管理サーバ
２０Ａ    ＣＰＵ（入室予定記憶手段、入室可否判定手段、入室認可手段、入室履歴記憶手段、入棟可否判定手段、入棟認可手段、退室予定記憶手段、退室可否判定手段、退室認可手段、退室履歴記憶手段、退棟可否判定手段、退棟認可手段）
２０Ｄ    ハードディスク（記憶手段）
２０Ｅ    キーボード（入室予定入力手段、退室予定入力手段）
３０    端末ＰＣ
４０    施錠管理サーバ
４２    電子錠
５０    情報管理サーバ
６０    操作パネル
６２    ＩＤカードリーダ（入室者特定情報取得手段、入棟者特定情報取得手段、退室者特定情報取得手段、退棟者特定情報取得手段）
６４    タグリーダ（用具特定情報取得手段、退室時用具特定情報取得手段）
６６    ディスプレイ
ＤＢ１    関係者データベース
ＤＢ２    患者データベース
ＤＢ３    病気別用具データベース
ＤＢ４    スケジュールデータベース
ＤＢ５    履歴データベース
【図１】
2006053675.tif 000003
【図２】
2006053675.tif 000004
【図３】
2006053675.tif 000005
【図４】
2006053675.tif 000006
【図５】
2006053675.tif 000007
【図６】
2006053675.tif 000008
【図７】
2006053675.tif 000009
【図８】
2006053675.tif 000010
【図９】
2006053675.tif 000011
【図１０】
2006053675.tif 000012
【図１１】
2006053675.tif 000013
【図１２】
2006053675.tif 000014
【図１３】
2006053675.tif 000015
【図１４】
2006053675.tif 000016
【図１５】
2006053675.tif 000017
【図１６】
2006053675.tif 000018